(57)【要約】【課題】掃き出し窓や出入口の戸障子や硝子等の損壊や不法な侵入等を防ぐための強化策が行われているがいずれも決定的方法ではなく、特に不測の事態による戸障子や硝子の損壊を防ぐ特別な処置は講じられていない現状である。【解決の手段】必要に応じて開口部を周知の菱形金網で覆って不法な侵入と戸障子や硝子等の損壊を未然に防止する為、開口部の周囲に装置を内蔵した筒形ケースを装着し装置を稼動し、ケースに折り畳んで格納した菱形金網を張り建てて開口部全体の遮蔽を送り螺子とライナーを稼動して行う事により送り螺子の回転運動以外は張り建てた金網を動かす事が物理的に不可能な施錠を全く必要としない新規な遮蔽装置である。【選択図】  図１
2005076430.tif 000002
【特許請求の範囲】
【請求項１】
周知の菱形金網を機に応じて張り巡らせ開口部を覆い外力による戸障子や硝子等の損壊を防止すると共に不法侵入を阻止する方法として筒形ケースを門型に組合せ遮蔽する開口部外側等に連節係止し門型の上辺筒形ケース上段内に周知の電動機と駆動制御装置並びに伝達装置等を収め下段に折り畳んだ菱形金網を収容する凹型ケースの格納スペースを設け、上辺筒形ケース左右端部に於いて凹型ケース内の折り畳んだ菱形金網の張り建てを行う伝達装置と連動する縦方向送り螺子と同螺子と嵌合するライナー並びに同ライナーと菱形金網端部の楕円リング等を嵌めたガイドシャフトを内蔵した縦筒型ケースを躯体等に連節係止し、ライナーに設けた接続端子を凹型ケース底部に嵌め込み縦方向送り螺子の回転に追随して凹型ケースと一体化したライナーがガイドシャフト沿いに上下移動すると同時に同シャフト嵌め込んだ金網端部の楕円リングを順次滑動させ金網の張り建て並びに折り畳み格納を繰り返し反復して行い、縦方向送り螺子の回転運動以外は遮蔽部位を開放できない事を特徴とした菱形金網を用いた遮蔽装置。
【請求項２】
請求項１に記載した周知の菱形金網は視野を阻害しない太さと容易に切断できない強度と弾性を有するピアノ線等を用い、線材の連続した山又は谷形の各形状の頂点を結んだ軸線の延長線上の適所に於いて一方の線材をもう一方の線材に巻付け係止し、もう一方の線材を更に延長しガイドシャフトに巻き付けた形態とするが金網の折り畳み、張り建て時の円弧角度約９０°に近い移動距離に合わせ張り建て時の垂直に近い形態とした時にはガイドシャフト側面におし付けた状態の楕円リングとし、折り畳み時には線材の反発力を利用し折り畳みの初期動作を促し金網の線材を水平に近く重なり合わせ凹型ケース内に格納し、ガイドシャフトに嵌めた楕円リングとも同様に収める動作を繰り返し反復して行える事を特徴とした菱形金網を用いた遮蔽装置。
【請求項３】
請求項１、２に記載する金網の張り建て、折り畳みを筒形ケース上段内部に設置した伝達軸両端の傘歯車を左右同一方向に装着するか又は、縦方向送り螺子頂部の左右傘歯車のいずれかを上下逆方向に装着すれば左右の送り螺子を同一方向に回転させガイドシャフトに嵌め込んだライナーの螺子と噛み合いライナーをガイドシャフト沿いに上下に滑動しライナーと連節係止し一体化した凹型ケースを常時水平に上下移動し金網の張り建て、折り畳みが円滑に行える事を特徴とした菱形金網を用いた遮蔽装置。
【発明の詳細な説明】
【技術分野】
【０００１】  本発明は掃き出し窓やその他の出入口等の開口部を菱形金網を用い遮蔽して不法侵入者の阻止と戸障子や硝子等の損壊の防止し、施錠を必要としない防災、防犯上の卓越した効果が期待できる遮蔽装置として、【０００２】菱形金網の張り建てを縦送り螺子とライナーを組合せ折り畳んだ金網を凹型ケース内に格納し左右の縦送り螺子を同一方向に回転させライナーを平行に上下移動させれば凹型ケース内の菱形金網は連動して張り建て又は、折り畳み格納され所定開口部の遮断又は、開放を縦送り螺子の回転による以外は物理的に開閉できない機能を備え、【０００３】菱形金網線材両端の張り建てと折り畳み時の円弧角度約９０°の距離に合わせ金網をほぼ垂直に張り建てた時点ではガイドシャフトに押し付けられた状態の楕円リングとし、折り畳み時には線材の反発力を利用し折り畳みの初期動作を促し金網の線材を水平に近く重なり合わせた状態で凹型ケース内に格納し、ガイドシャフトに嵌めた楕円リングとも同様に重なり合わせた状態で上部筒形ケースの下段内に凹型ケースごと格納され開口部の遮蔽と開放を繰り返し反復して行なえ、遮蔽時には施錠を必要としない画期的装置である。
【背景技術】
【０００４】昨今、多発している出入口や掃き窓等からの不法侵入による盗難、傷害、殺人事件等を防止する為、扉や錠前、硝子等に改良を加える方法が行われているがいずれも決定的方法とは言えず、今後、エスカレートするこれらの被害を防止する為の方策を模索中であるが、戸障子や硝子を強化しても侵入手口は巧妙且つ手荒になるばかりであり、侵入の防止又は、阻止する決定的な手段と方法は見受けられず、【０００５】加えて強風時の飛来物や不測の事故等による戸障子や硝子等の損壊に対しては全く無防備に等しい現状である。
【発明が解決しようとする課題】
【０００６】以上の如く従来の方法では防止できない不法侵入や飛来物等による戸障子、硝子等の損壊や侵入等を防止するため、
【０００７】本発明は新築、既存を問わず出入口や掃き出し窓等の開口部（ロ）全体を必要に応じ周知の菱形金網（Ｄ）で覆い遮蔽する完璧な防災、防犯を目的とした施錠を必要としない合理的な遮蔽装置として、
【０００８】遮蔽する開口部（ロ）外側面に門型ケースの上辺筒型ケース（Ａ）の上段（Ａ１）に周知の電動機と駆動制御装置等（Ｘ、Ｙ、Ｚ）並びに応力の伝達軸（Ｈ１）と傘歯車（Ｈ２）を組み合わせた伝達装置（Ｈ）を下段（Ａ２）には折り畳んだ菱形金網（Ｄ２）を格納した凹型ケース（Ｃ）の格納スペースを設け、上段の底板（Ａ１１）下面に張り建てる菱形金網（Ｄ）の最上山形部（Ｄ５）を連節係止し、
【０００９】左右の縦筒型ケース（Ｂ１、Ｂ２）には縦送り螺子（Ｅ）ライナー（Ｇ）ガイドシャフト（Ｆ）等の収納と菱形金網（Ｄ）左右両端部の楕円リング（Ｄ３）線材等のスライド溝（Ｂ４）を設け、縦筒型ケース（Ｂ１、Ｂ２）を構造躯体（イ）等に連節係止した形態とし、
【００１０】伝達軸（Ｈ１）左右両端部の傘歯車（Ｈ２）を同一方向か又は、左右縦送り螺子（Ｅ）の片一方の傘歯車（Ｅ１）を上下逆方向に取り付けるかのいづれかとすれば左右の縦送り螺子（Ｅ）は同一方向に回転し嵌合する螺子（Ｇ３）を内蔵したライナー（Ｇ）と噛み合ったうえ接続端子（Ｇ２）を介して連節係止した凹型ケース（Ｃ）を常時水平に上下移動できる。
【００１１】出入口や掃き出し窓等の開口部（ロ）を遮蔽する周知の菱形金網（Ｄ）左右末端は絡み合う一組の線材の連続した山及び谷底を結んだ延長線上に於いて線材の折り畳み時と張り建て時の円弧角度約９０°に近い移動距離に余裕を持たせガイドシャフト（Ｆ）を嵌め込み拘束状態とした楕円リング（Ｄ３）と菱形金網（Ｄ）を左右のガイドシャフト（Ｆ）間に張り建て、所定の開口部（ロ）を遮蔽した時点に於いては菱形金網（Ｄ）を垂直に近く楕円リング（Ｄ３）を形成する線材の長辺側はガイドシャフト（Ｆ）の側面に押し付けられた形態となり、折り畳み時には楕円リング（Ｄ３）線材の反発力で折り重なり初期動作を促し、水平に近く重なり合った状態で凹型ケース（Ｃ）内に格納されガイドシャフト（Ｆ）に嵌めた楕円リング（Ｄ３）とも同様に重なり合った状態で上辺筒形ケース（Ａ）の下段ケース（Ａ２）内に凹型ケース（Ｃ）ごと格納される開口部（ロ）の遮蔽と開放を繰り返し反復して行える複合機能を備えた新規な装置である。
【００１２】菱形金網（Ｄ）左右末端で楕円リング（Ｄ３）の手前で絡み合う巻付け線材（Ｄ４）は交差した部位で楕円リング（Ｄ３）線材に軽く巻付け拘束し菱形金網（Ｄ）を構成し折り畳みと張り建てに追随し稼動する形態とする。
【課題を解決するための手段】
【００１３】本発明の上記装置を具体的に説明すれば、出入口や掃き出し窓等の戸障子や硝子の損壊を未然に防ぐ方法としてこれらの開口部（ロ）を必要に応じて遮蔽又は開放を反復して行える機能として、
【００１４】先ず、遮蔽しようとする空域全体を囲む門形の上辺筒形ケース（Ａ）と縦筒形ケース（Ｂ１、Ｂ２）により構成した枠とし、
【００１５】上辺筒形ケース（Ａ）の上段（Ａ１）には周知の電動機と駆動制御装置（Ｘ、Ｙ、Ｚ）からの発生応力を伝える伝達軸（Ｈ１）を備えた伝達装置（Ｈ）を内蔵し、下段（Ａ２）には折り畳んだ菱形金網（Ｄ）の上端部係止と凹形ケース（Ｃ）の格納スペースを設けた上辺筒形ケース（Ａ）を備え、
【００１６】左右の縦筒形ケース（Ｂ１、Ｂ２）には上部に於いて伝達装置（Ｈ）の傘歯車（Ｈ１）と嵌合する傘歯車（Ｅ１、Ｅ２）を装着した縦送り螺子（Ｂ１、Ｂ２）と同螺子と嵌合する螺子（Ｇ３）とガイドシャフト挿入孔（Ｇ１）を設けたライナー（Ｇ）とガイドシャフト（Ｆ）を内蔵し開口部（ロ）外側の構造躯体（イ）等に連節係止する。
【００１７】伝達装置（Ｈ）の伝達軸（Ｈ１）の左右先端部にはそれぞれの縦送り螺子（Ｅ）先端部の傘歯車（Ｅ１）と嵌合し左右同一方向に回転する応力を伝達する傘歯車（Ｈ２）を装着し、機に応じて伝達装置（Ｈ）の傘歯車（Ｈ２）と縦送り螺子（Ｅ）の傘歯車（Ｅ１）を介して縦送り螺子（Ｅ）に同一方向の回転運動を与え同螺子（Ｅ）と嵌合するライナー螺子（Ｇ３）に応力を伝えライナー（Ｇ）を上下移動させ、
【００１８】ライナー（Ｇ）のガイドシャフト挿入孔（Ｇ１）にガイドシャフト（Ｆ）を挿入しベースプレート（Ｂ３）に固定し、縦送り螺子（Ｅ）の回転に合わせ嵌合するライナー螺子（Ｇ３）の作用によりライナー（Ｇ）をガイドシャフト（Ｆ）に沿い上下に滑動すると同時に、
【００１９】ライナー（Ｇ）端部に設けた接続端子（Ｇ２）を凹形ケース底部（Ｃ１）に嵌め込み係止し菱形金網（Ｄ）を格納した凹形ケース（Ｃ）とライナー（Ｇ）を常時水平に上下に滑動させ菱形金網（Ｄ）を張り建て（Ｄ１）又は、折り畳ん（Ｄ２）で凹形ケース（Ｃ）に格納する動作を縦送り螺子（Ｅ）の回転に合わせ所定の開口部（ロ）を遮蔽又は、開放する動作を繰り返し反復して行える機能を備えた装置である。
【発明実施の形態】
【００２０】本発明の実施の形態を図１〜図７に基づいて説明すれば、図１は遮蔽装置の全体正面図で上辺筒形ケース（Ａ）と両端の縦筒形ケース（Ｂ１、Ｂ２）の配置状況と門型内面の左側は周知の菱形金網（Ｄ）を張り建て開口部（ロ）を遮蔽した形態で最下部は凹形ケース（Ｃ）の収まり具合であり、右側は開口部（ロ）全域の開放状態を表し、周知の電動機と駆動制御装置、電源コードプラグ、スイッチプレート（Ｘ、Ｙ、Ｚ）と伝達装置（Ｈ）組合せ傘歯車（Ｈ１、Ｅ１）縦送り螺子（Ｅ）ライナー（Ｇ）等の位置関係の概要を示した概念図である。
【００２１】図２は上辺筒形ケース上段（Ａ１）と凹形ケース（Ｃ）と格納スペース（Ａ２）内の折り畳まれた金網（Ｄ２）と縦筒形ケース（Ｂ１、Ｂ２）の部分断面と内部に装着したガイドシャフト（Ｆ）と楕円リング（Ｄ３）等の収まり具合とライナー（Ｇ）の位置関係の概略と伝達軸（Ｈ１）と組傘歯車（Ｈ２、Ｅ１）の一例と縦送り螺子（Ｅ）を示した部分断面であり、
【００２２】図３は菱形金網（Ｄ）を張り建て（Ｄ１）開口部（ロ）を遮蔽した状態の部分断面であり縦筒形ケース（Ｂ１、Ｂ２）内のガイドシャフト（Ｆ）に嵌め込んだライナー（Ｇ）と凹形ケース（Ｃ）の部分断面と同ケース底部（Ｃ１）に係止し張り建て（Ｄ１）られた菱形金網（Ｄ）と楕円リング（Ｄ３）と巻付け線材（Ｄ４）の形態を示した図４のＡ〜Ａ部分断面図であり、
【００２３】図４は図３のＢ〜Ｂ部分断面図であり、縦筒形ケース（Ｂ１、Ｂ２）内の縦送り螺子（Ｅ）とガイドシャフト（Ｆ）に嵌め込んだ楕円リング（Ｄ３）ライナー（Ｇ）と凹形ケース（Ｃ）と菱形金網（Ｄ）を張り建てた（Ｄ１）形態と凹形ケース（Ｃ）内に折り畳んだ（Ｄ２）形態を連続した山形の一点鎖線で示した部分断面である。
【００２４】図５は図３の拡大図であり縦筒形ケース（Ｂ１、Ｂ２）内のガイドシャフト（Ｆ）とベースプレート（Ｂ３）及びライナー（Ｇ）と接続端子（Ｇ２）と凹形ケース底面（Ｃ１）に連節係止した菱形金網（Ｄ）端部の張り建てた（Ｄ１）形態と更にガイドシャフト（Ｆ）に嵌められた張り建て時の楕円リング（Ｄ３）がガイドシャフト（Ｆ）側面に押し付けられた形態を示す。
【００２５】図６は図５の縦方向断面詳細であり縦筒形ケース（Ｂ１、Ｂ２）、縦送り螺子（Ｅ）、ガイドシャフト（Ｆ）の断面と同部材と連携し上下に稼動するライナー（Ｇ）との位置関係と縦筒形ケース（Ｂ１、Ｂ２）とスライド溝（Ｂ４）と菱形金網（Ｄ）両端部と楕円リング（Ｄ３）との連携とガイドシャフト（Ｆ）に挿入し、菱形金網（Ｄ）を折り畳んだ（Ｄ２）時点の状態を実線で張り建てた（Ｄ１）形態を一点鎖線で示し、凹形ケース底裏側（Ｃ１）に装着した接続端子（Ｇ２）を点線で示し螺子留めを表している。
【００２６】図７は図６の縦送り螺子（Ｅ）とガイドシャフト（Ｆ）のベースプレート（Ｂ３）への定着形態の概略とライナー（Ｇ）及び螺子（Ｇ３）等の連携を表すと同時に菱形金網（Ｄ）を張り建て（Ｄ１）た状態時の接続端子（Ｇ３）への接続形態を示す概略図である。
【発明の効果】
新築既存を問わず建物の掃き出し窓やその他の出入口等の開口部を電動装置等を用い、略門型のケース内に稼動装置を設置し縦送り螺子を稼動しライナーと凹形ケースを機に応じて上下移動させ凹形ケース内に格納した周知の菱形金網を張り建てて開口部を遮断し戸障子や硝子等の不測な損壊や不法侵入等の防止を縦送り螺子による菱形金網の張り建てのみにより行う為、施錠の必要性が全く無い卓越した性能を備えた新規な装置である。
【図面の簡単な説明】
【図１】門形ケースと菱形金網から成る遮蔽装置の稼動形態の概略と正面全体の金網張り建て遮蔽時と開放状態を示す。
【図２】上辺筒形ケースと左右の縦筒形ケース、凹形ケース（Ｃ）と折り畳んだ菱形金網と楕円リング、ライナーとガイドシャフト並びに縦送り螺子と組傘歯車と伝達軸等の連携状態の概略図。
【図３】菱形金網を張り建てた時点のガイドジャフトと楕円リング、凹形ケースとライナー等の関連形態を示す図４のＡ〜Ａ断面。
【図４】図３のＢ〜Ｂ断面。
【図５】図３の拡大詳細図。
【図６】図４の金網の張り建て、折り畳み時の形態の概略と拡大詳細図。
【図７】縦筒形ケース下部無いのベースと縦送り螺子、ガイドシャフト、ライナー金網下端部の係止形態を示す詳細図。
【符号の説明】
イ        構造躯体
ロ        開口部
Ａ        上辺筒形ケース
Ａ１          〃        上段
Ａ１１        〃        底板
Ａ２          〃        下段
Ｂ        縦筒形ケース
Ｂ１          〃
Ｂ２          〃
Ｂ３      ベースプレート
Ｂ４      スライド溝
Ｃ        凹形ケース
Ｃ１          〃    底面
Ｄ        菱形金網
Ｄ１        〃    張り建て
Ｄ２        〃    折り畳み
Ｄ３        〃    楕円リング
Ｄ４        〃    巻付け線材
Ｄ５        〃    最上山形部
Ｅ        縦送り螺子
Ｅ１      傘歯車
Ｅ２        〃
Ｆ        ガイドシャフト
Ｇ        ライナー（全体）
Ｇ１        〃    ガイドシャフト挿入孔
Ｇ２        〃    接続端子
Ｇ３        〃    縦送り螺子受け
Ｈ        伝達装置
Ｈ１      伝達軸
Ｈ２      傘歯車
Ｘ        電動機、駆動制御装置
Ｙ        電源取り入れプラグ
Ｚ        作動スイッチ等
【図１】
2005076430.tif 000003
【図２】
2005076430.tif 000004
【図３】
2005076430.tif 000005
【図４】
2005076430.tif 000006
【図５】
2005076430.tif 000007
【図６】
2005076430.tif 000008
【図７】
2005076430.tif 000009